(57)【要約】【課題】収納容器の上下を間違えたり傾けたりしても、収納物の脱落や収納物の整列状態の乱れが起こらないようにする。【解決手段】収納物２の下側を収納する本体凹部３を有する容器本体４と、収納物２の上側を収納する蓋凹部５を有して容器本体４に重合される蓋部材６とを備え、容器本体４の本体凹部３の内周面に、収納物２の離れた複数箇所を係止して収納物２に本体凹部３からの離脱抵抗を与える係止部２３が設けられている。【選択図】図１
2008265837.tif 000002
【特許請求の範囲】
【請求項１】
収納物の下側を収納する本体凹部を有する容器本体と、前記収納物の上側を収納する蓋凹部を有して前記容器本体に重合される蓋部材とを備えた収納容器であって、
前記容器本体の本体凹部の内周面に、収納物の離れた複数箇所を係止して収納物に本体凹部からの離脱抵抗を与える係止部が設けられていることを特徴とする収納容器。
【請求項２】
長尺の収納物の下側を収納する本体凹部を複数並列配置した容器本体と、前記収納物の上側を収納する蓋凹部を複数有して前記容器本体に重合される蓋部材とを備えた収納容器であって、
前記容器本体及び蓋部材は折り曲げ部を介して合成樹脂シートで一体形成されており、
前記容器本体の本体凹部の内周面に、収納物の離れた複数箇所を係止して収納物に本体凹部からの離脱抵抗を与える係止部が設けられていることを特徴とする収納容器。
【請求項３】
前記係止部は、前記本体凹部の内周面に対して収納物側に突出した係止凸部、又は前記本体凹部の内周面に対してへこんだ係止凹部であることを特徴とする請求項１又は２に記載の収納容器。
【請求項４】
前記容器本体及び蓋部材は、重合状態で前記本体凹部と蓋凹部との周囲が互いに対面しており、
前記本体凹部と蓋凹部とに連接する平坦部と、この平坦部の外周縁から屈曲された段付部と、この段付部から屈曲されて前記平坦部と略平行の外周縁部とが設けられていることを特徴とする請求項１〜３のいずれかに記載の収納容器。
【請求項５】
前記容器本体と蓋部材の段付部には、互いに係合して重合状態からの離脱抵抗を与える係止案内部と被係止案内部とが設けられていることを特徴とする請求項４に記載の収納容器。
【請求項６】
前記蓋部材が透明な合成樹脂で形成されていて、前記容器本体と蓋部材の平坦部の間に物品説明シートが設けられていることを特徴とする請求項４又は５に記載の収納容器。
【請求項７】
前記収納物は、長手方向の両端に前記係止部に係止可能な被係止部を有する長尺のヘアークリップであることを特徴とする請求項１〜６のいずれかに記載の収納容器。
【発明の詳細な説明】
【技術分野】
【０００１】
本発明は、ヘアークリップなどの収納物を個別に収納できる収納容器に関するものである。
【背景技術】
【０００２】
真空成形により１枚の合成樹脂シートから容器本体と蓋部材とを一体に形成した収納容器としては、例えば、特許文献１に記載するようなものが知られている。該収納容器は、鶏卵の下側に対応する凹部を複数有する容器主体と、鶏卵の残りの上側に対応する凹部を有する蓋体とを有しており、容器主体と蓋体とはヒンジ部を介して互いに連結されている。
特許文献１の容器では、蓋体を容器主体に被せると、蓋体と容器主体との間に鶏卵を個別に複数収納できるようになっている。
【特許文献１】実用新案登録第３０５７１７９号公報
【発明の開示】
【発明が解決しようとする課題】
【０００３】
ところで、特許文献１の収納容器においては、収納物を個別に蓋体や容器主体に係止する構成ではなく、収納容器を傾けたままで収納物を取り出そうとすると、収納物（鶏卵）が収納部から離脱する虞がある。
収納物がヘアークリップなどの化粧用品である場合には、美容院等において容器の上下を間違えたり傾けて使用したりする場合が多く、収納容器内での収納物の整列状態が乱れたり、収納物が収納容器から脱落したりする問題があった。
本発明は、上述の問題に鑑みてなされたものであり、収納容器の上下を間違えたり傾けたりしても、収納物の脱落や収納物の整列状態の乱れを抑制乃至防止することができる収納容器を提供することを目的とする。
【課題を解決するための手段】
【０００４】
前記目的を達成するために、本発明は以下の技術的手段を講じた。
即ち、収納物の下側を収納する本体凹部を有する容器本体と、前記収納物の上側を収納する蓋凹部を有して前記容器本体に重合される蓋部材とを備えた収納容器であって、
前記容器本体の本体凹部の内周面に、収納物の離れた複数箇所を係止して収納物に本体凹部からの離脱抵抗を与える係止部が設けられている。
また、本発明の収納容器は、長尺の収納物の下側を収納する本体凹部を複数並列配置した容器本体と、前記収納物の上側を収納する蓋凹部を複数有して前記容器本体に重合される蓋部材とを備えた収納容器であって、
前記容器本体及び蓋部材は折り曲げ部を介して合成樹脂シートで一体形成されており、前記容器本体の本体凹部の内周面に、収納物の離れた複数箇所を係止して収納物に本体凹部からの離脱抵抗を与える係止部が設けられている。
【０００５】
これによって、収納容器の上下を間違えたり傾けたりしても、係止部により収納物が本体凹部に係止され、収納物の本体凹部からの離脱が規制されるので、収納物の取り出しを許容しながらも収納物の脱落や収納物の整列状態の乱れを抑制乃至防止することができる。
前記係止部は、前記本体凹部の内周面に対して収納物側に突出した係止凸部、又は前記本体凹部の内周面に対してへこんだ係止凹部であることが好ましい。
これによって、本体凹部内に係止部を簡単に形成できる。
【０００６】
前記容器本体及び蓋部材は、重合状態で前記本体凹部と蓋凹部との周囲が互いに対面しており、前記本体凹部と蓋凹部とに連接する平坦部と、この平坦部の外周縁から屈曲された段付部と、この段付部から屈曲されて前記平坦部と略平行の外周縁部とが設けられていることが好ましい。
これによって、容器本体と蓋部材とが、互いに面接する平坦部、段付部、及び外周縁部の面で重ね合わされ、収納物が収納される部分の気密性を上げたり、容器内部への異物の侵入を抑制することが可能となる。
【０００７】
前記容器本体と蓋部材の段付部には、互いに係合して重合状態からの離脱抵抗を与える係止案内部と被係止案内部とが設けられている。
これによって、容器本体と蓋部材とを確実に係合することが可能となる。
前記蓋部材が透明な合成樹脂で形成されていて、前記容器本体と蓋部材の平坦部の間に物品説明シートが設けられている。
これによって、平坦部を介して容器本体と蓋部材の間に設けられた物品説明シートを視認することができ、広告や注意書きを使用者に簡便に且つ効果的に視認させることが可能となる。
【０００８】
前記収納物は、長手方向両端に前記係止部に係止可能な被係止部を有する長尺のヘアークリップであるのが好ましい。
【発明の効果】
【０００９】
本発明の収納容器によって、収納容器の上下を間違えたり傾けたりしても、係止部により収納物が本体凹部に係止され、収納物の本体凹部からの離脱が規制されるので、収納物の取り出しを許容しながらも収納物の脱落や収納物の整列状態の乱れを抑制乃至防止することができる。
【発明を実施するための最良の形態】
【００１０】
本発明に係る収納容器の実施形態を、図１〜図９に基づき以下に説明する。
図１〜図７において、第１実施形態の収納容器１は、透明な合成樹脂シートから下側の容器本体４と上側の蓋部材６とが折り曲げ部７を介して一体成形されている。容器本体４にはヘアークリップで例示した収納物２の下側を収納する本体凹部３が形成され、蓋部材６には収納物２の上側を収納する蓋凹部５が形成されている。容器本体４の本体凹部３の内周面には、収納物２の離れた複数箇所を係止する係止部２３が設けられている。また、容器本体４と蓋部材６との間には物品説明シート１６が設けられている。
【００１１】
図２に示されるように、容器本体４は、略正方形状に形成されており、中央にはヘアークリップ２（収納物）の下側を収納する本体凹部３が複数（本実施形態では１０箇所）並列して設けられている。
容器本体４は、本体凹部３の周りに本体凹部３と連続して接する本体平坦部１４と、この本体平坦部１４から上方に屈曲された本体段付部１５と、この本体段付部１５から水平方向に屈曲されて本体平坦部１４と略平行な本体外周縁部１３とを有している。容器本体４の後側（図２における左右方向の中央側）には、折り曲げ部７が設けられている。
【００１２】
容器本体４は、本体平坦部１４の前側（図２における左側）に、上方に向かって本体平坦部１４から突出した係合部２１を有している。係合部２１は、本実施形態においては、円柱状に形成され、本体平坦部１４に２つ設けられている。
蓋部材６は、容器本体４と同様に略正方形状に形成されている。蓋部材６の中央には、容器本体４に蓋部材６を重ね合わせたときに本体凹部３と対向する位置に、ヘアークリップ２の上側を収納する蓋凹部５が複数設けられている。蓋凹部５は、容器本体４の本体凹部３と同数同じ方向に向かって並列に設けられている。
【００１３】
蓋部材６は、蓋凹部５の周りに蓋凹部５と連接する蓋平坦部１８と、この蓋平坦部１８から下方に屈曲された蓋段付部１９と、この蓋段付部１９から水平方向に屈曲されて蓋平坦部１８と略平行な蓋外周縁部１７とを有している。蓋部材６と容器本体４との間には、折り曲げ部７が設けられている。
蓋部材６は、蓋平坦部１８の前側（図２における右側）に、蓋平坦部１８に対して凹んだ被係合部２２を有している。被係合部２２は、本体平坦部１４から上方に突出した係合部２１と係脱自在に嵌合するように、係合部２１が挿入可能な大きさに形成されている。被係合部２２は、本実施形態においては、角穴状に形成され、係合部２１に対応して２つ設けられている。
【００１４】
図２、図３に示されるように、容器本体４の左右（図３の左右）の本体段付部１５には、本体段付部１５の内面に対して凹んだ被係止案内部３３が設けられている。一方、蓋部材６の左右の蓋段付部１９には、蓋段付部１９の外面に凸状の係止案内部３２が設けられている。係止案内部３２は、被係止案内部３３に嵌合可能な形状とされ、互いに対応する位置に設けられている。係止案内部３２を被係止案内部３３に嵌合することで、蓋部材６が容器本体４に良好に密着すると共に蓋部材６を容器本体４から離脱し難くすることができる。
【００１５】
図５に示されるように、容器本体４と蓋部材６との間には折り曲げ部７が設けられており、折り曲げ部７は容器本体４を形成する合成樹脂と同一の合成樹脂シートにより容器本体４と蓋部材６とに一体形成されている。折り曲げ部７は、左右方向に沿って合成樹脂シートを複数回に亘って折り曲げて形成されており、容器本体４と蓋部材６とを折り返し自在に連結している。
物品説明シート１６は、図２に示されるように、容器本体４と蓋部材６との間に設けられている。物品説明シート１６は、ヘアークリップ２の仕様、使用方法、取り扱いの注意事項、広告などを記載または印刷したシートである。物品説明シート１６は、係合部２１と本体凹部３とを除く本体平坦部１４に設けられている。
【００１６】
一方、容器本体４または蓋部材６は、透明な熱可塑性の合成樹脂シートにより形成されており、これらの本体平坦部１４または蓋平坦部１８も透明となっている。そのため、物品説明シート１６は、本体平坦部１４または蓋平坦部１８を通して視認可能とされており、使用者にヘアークリップ２の仕様、使用方法、取り扱いの注意事項、広告などを確実に伝達することができるようになっている。
図４に示されるように、ヘアークリップ２（収納物）は、上方に設けられるクリップ本体９と下方に設けられる挟持体１０とを、クリップ本体９及び挟持体１０の中途側で枢着して形成されている。クリップ本体９及び挟持体１０は、それぞれ細長く湾曲した棒状に形成されており、ほぼ同じ長さに形成されている。なお、本実施形態においてはクリップ本体９は合成樹脂で形成され、挟持体１０は金属で形成されている。
【００１７】
クリップ本体９と挟持体１０との中途側には枢支ピン１１が設けられており、枢支ピン１１によりクリップ本体９と挟持体１０とが枢支ピン周りに回動可能に連結されている。バネ１２は、クリップ本体９と挟持体１０をそれぞれの先端側（図４の右側）が互いに近接し合う方向に付勢している。そのため、ヘアークリップ２は、その先端側で髪を挟むことや、自身を髪に留めることが可能となっている。
ヘアークリップ２の長手方向の両端には、本体凹部３の係止部２３に係止可能な被係止部２７が設けられている。被係止部２７は、挟持体１０の基端側に設けられる基端被係止部２７ａと、クリップ本体９と挟持体１０の先端側に設けられる先端被係止部２７ｂとを有している。
【００１８】
クリップ本体９の基端側には把持部３４が形成されており、把持部３４は基端側に向かうに連れて挟持体１０から離間する方向に湾曲し、上方に突出するように形成されている。
次ぎに、本発明に係る収納容器１の係止部２３を図４〜６を用いて詳しく説明する。
図４〜６に示されるように、容器本体４の本体平坦部１４には本体平坦部１４に対して凹状に形成された本体凹部３が設けられ、蓋部材６の蓋平坦部１８には蓋平坦部１８に対して凹状に形成された蓋凹部５が設けられている。本体凹部３と蓋凹部５とは互いに対応する位置に設けられており、本体凹部３と蓋凹部５との間にはヘアークリップ２が収納される。
【００１９】
本体凹部３は、前後方向に沿って複数（本実施形態では１０箇所）並設されている。本体凹部３は、互いに略平行に並設されており、互いに隣接する本体凹部３に収納されたヘアークリップ２の先端側と基端側が逆になるように互い違いに形成されている。本体凹部３は、ヘアークリップ２の先端側と基端側のそれぞれの被係止部２７を係止する係止部２３をヘアークリップ２の長手方向に離れた両端にそれぞれ有している。
蓋凹部５は、蓋平坦部１８に前後方向に沿って本体凹部３と同数並設されている。蓋凹部５は、蓋部材６を容器本体４に重ね合わせた場合に蓋凹部５が本体凹部３の真上に来るように、互いに略平行に且つ本体凹部３と同様に互い違いに形成されている。蓋凹部５は、ヘアークリップ２の基端側の把持部３４に対応する位置が最も上方に突出しており、蓋平坦部１８より上方に突出する把持部３４を被覆可能とされている。
【００２０】
本体凹部３の内周面に、ヘアークリップ２の離れた複数箇所を係止してヘアークリップ２に本体凹部３からの離脱抵抗を与える係止部２３が設けられている。つまり、係止部２３は、ヘアークリップ２が本体凹部３から上方に移動する際に、本体凹部３の内周面に段差状に設けられてヘアークリップ２の上方移動を規制すると共に、ヘアークリップ２が一定以上の力で上方移動する場合は自身が弾性変形してヘアークリップ２との係合を解除可能となっている。
係止部２３は、本体凹部３の内周面からヘアークリップ２側に突出した係止凸部２４、本体凹部３の内周面に対してへこんだ係止凹部２５、または本体凹部３の幅方向両側の内周面からヘアークリップ２側に向かって突出しした挟持突起２６を用いることができる。第１実施形態では、係止凸部２４を係止部２３とした例を示している。
【００２１】
係止凸部２４は、本体凹部３の底面との間にヘアークリップ２の被係止部２７が嵌入可能となるように、本体凹部３の内周面から左右方向（図４の左右方向）に沿ってヘアークリップ２側に突出している。
係止凸部２４は、本体凹部３におけるヘアークリップ２の基端側に対応した端部に設けられる基端係止凸部２４ａと、ヘアークリップ２の先端側に対応した端部に設けられる先端係止凸部２４ｂとを有している。基端係止凸部２４ａは本体凹部３の基端被係止部２７ａと係合し、先端係止凸部２４ｂは本体凹部３の先端被係止部２７ｂと係合する。これによって、係止凸部２４はヘアークリップ２をクリップ本体９と挟持体１０とが重ね合わされた状態で本体凹部３に係止している。
【００２２】
次ぎに、ヘアークリップ２を本体凹部３の係止部２３に係止する場合、及び係止部２３とヘアークリップ２の被係止部２７との係止を解除する場合について説明する。
ヘアークリップ２を本体凹部３の係止部２３に係止する場合は、容器本体４の本体凹部３に上方からヘアークリップ２を近接させる。ヘアークリップ２の長手方向の両端に設けられた被係止部２７が本体凹部３の係止部２３に当接すると、弾性変形が可能な合成樹脂より形成されている係止部２３が変形し、ヘアークリップ２の被係止部２７が係止部２３に係合し、ヘアークリップ２が本体凹部３に係止される。
【００２３】
ヘアークリップ２の被係止部２７が本体凹部３の係止部２３に係止されている間は、係止部２３がヘアークリップ２の本体凹部３からの離脱を規制するので、係止部２３を弾性変形させられる程度の力がヘアークリップ２に働かない限りは被係止部２７と係止部２３との係合が解除されることはない。そのため、収納容器１の上下を間違えたり傾けたりした場合であっても、ヘアークリップ２が収納容器１から脱落したりヘアークリップ２の整列状態が乱れたりすることが抑制乃至防止される。
一方、ヘアークリップ２を本体凹部３から離脱させるときは、本体平坦部１４より上方に突出しているヘアークリップ２の把持部３４を把持し、ヘアークリップ２を上方に移動させる。上述のように係止部２３は弾性変形が可能な合成樹脂より形成されているため、係止部２３が弾性変形してヘアークリップ２の被係止部２７と係止部２３との係合が容易に解除される。そのため、ヘアークリップ２を本体凹部３から容易に取り出すことができる。
【００２４】
本体凹部３の内周面に、ヘアークリップ２の長手方向に離れた両端を係止して、ヘアークリップ２に本体凹部３からの離脱抵抗を与える係止部２３を設けることにより、係止部２３によりヘアークリップ２が本体凹部３に係止される。つまり、係止部２３がヘアークリップ２の本体凹部３からの離脱を規制するので、収納容器１の上下を間違えたり傾けたりした場合であっても、ヘアークリップ２が収納容器１から脱落したりヘアークリップ２の整列状態が乱れたりすることが抑制乃至防止される。
容器本体４は、本体凹部３に連接する本体平坦部１４と、この本体平坦部１４から屈曲された本体段付部１５と、この本体段付部１５から屈曲されて本体平坦部１４と略平行な本体外周縁部１３とを有している。また、蓋部材６は、蓋凹部５に連接する蓋平坦部１８と、この蓋平坦部１８から屈曲された蓋段付部１９と、この蓋段付部１９から屈曲されて蓋平坦部１８と略平行な蓋外周縁部１７とを有している。
【００２５】
蓋部材６を容器本体４に重ね合わせると、本体平坦部１４と蓋平坦部１８、本体段付部１５と蓋段付部１９、及び本体外周縁部１３と蓋外周縁部１７が互いに面で接するように重なり合う。そのため、容器本体４と蓋部材６とが隙間なく重ね合わされ、収納容器１内に水分や異物の侵入することが抑制乃至防止される。
係止部２３を本体凹部４の内周面に対してヘアークリップ２側に突出した係止凸部２４とし、係止凸部２４をヘアークリップ２の基端被係止部２７ａと係合する基端係止凸部２４ａと、ヘアークリップ２の先端被係止部２７ｂと係合する先端係止凸部２４ｂとで構成することにより、簡単な構造でヘアークリップ２を確実に本体凹部３内に係止することができる。
【００２６】
蓋部材６を透明な合成樹脂で形成し、容器本体４の本体平坦部１４と蓋部材６の蓋平坦部１８との間に物品説明シート１６を設けることにより、本体平坦部１４または蓋平坦部１８を介して物品説明シート１６を視認することができ、物品説明シート１６の広告や注意書きを使用者に簡便に且つ効果的に視認させることが可能となる。
次に、第２実施形態の収納容器１を説明する。
図７にあるように、第２実施形態の収納容器１が第１実施形態と異なる点は、係止部２３が本体凹部３の内周面に凹状に形成された係止凹部２５とされている点にある。
【００２７】
つまり、第２実施形態の係止凹部２５は、本体凹部３の内周面に凹状に形成されており、係止凹部２５はヘアークリップ２の長手方向両端が嵌入可能となるようヘアークリップ２の被係止部２７の形状に合わせて形成されている。
係止凹部２５は、本体凹部３におけるヘアークリップ２の基端側に対応した端部に設けられる基端係止凹部２５ａと、本体凹部３におけるヘアークリップ２の先端側に対応した端部に設けられる先端係止凹部２５ｂとを有している。基端係止凹部２５ａはヘアークリップ２の基端被係止部２７ａと係合し、先端係止凹部２５ｂはヘアークリップ２の先端被係止部２７ｂと係合する。これによって、係止凹部２５はヘアークリップ２をクリップ本体９と挟持体１０とが重ね合わされた状態で本体凹部３に係止している。
【００２８】
係止部２３を本体凹部４の内周面に凹状に形成される係止凹部２５とし、係止凹部２５をヘアークリップ２の基端被係止部２７ａと係合する基端係止凹部２５ａと、ヘアークリップ２の先端被係止部２７ｂと係合する先端係止凹部２５ｂとで構成することにより、係止凹部２５がヘアークリップ２を確実に本体凹部３内に係止し、ヘアークリップ２が収納容器１から脱落したりヘアークリップ２の整列状態が乱れたりすることが抑制乃至防止される。
次に、第３実施形態の収納容器１を説明する。
【００２９】
図８及び図９にあるように、第３実施形態の収納容器１が第１実施形態と異なる点は、ヘアークリップ２の幅方向（図８の左右方向）の両側に被係止部２７が設けられ、この被係止部２７と係合可能な挟持突起２６がヘアークリップ２の幅方向の両側にそれぞれ設けられている点にある。
つまり、第３実施形態の挟持突起２６は、本体凹部３の幅方向両側の内周面からヘアークリップ２側に向かって突出しており、ヘアークリップ２を幅方向両側から挟み込めるようになっている。
【００３０】
ヘアークリップ２の幅方向の両側に被係止部２７を設け、この被係止部２７と係合可能な挟持突起２６をヘアークリップ２の幅方向の両側にそれぞれ設けることにより、挟持突起２６がヘアークリップ２を確実に本体凹部３内に係止し、ヘアークリップ２が収納容器１から脱落したりヘアークリップ２の整列状態が乱れたりすることが抑制乃至防止される。
本発明は上記各実施形態に限定されるものではなく、発明の本質を変更しない範囲で各部材の形状、構造、材質、組み合わせなどを適宜変更可能である。
【００３１】
例えば、上記実施形態では、収納物２はヘアークリップを例示していた。しかし、収納物２はヘアークリップ以外の小物を収納することもできる。また、ヘアークリップ以外にヘアーバンドや髪飾りなどのように互いに種類の異なる収納物２を収納するように構成しても良い。
上記実施形態では、係止部２３はいずれも容器本体４の第１凹部３に形成されていた。しかし、係止部２３を蓋部材６の蓋凹部５に形成しても良い。
【図面の簡単な説明】
【００３２】
【図１】本発明の収納容器の一部断面斜視図である。
【図２】収納容器の平面展開図である。
【図３】収納容器の要部断面図である。
【図４】図３の要部をさらに拡大した断面図である。
【図５】図２のＤを拡大した平面図である。
【図６】図２のＥ−Ｅ線断面図である。
【図７】第２実施形態の収納容器の要部断面図である。
【図８】第３実施形態の収納容器の平面図である。
【図９】図８のＦ−Ｆ線断面図である。
【符号の説明】
【００３３】
１    容器
２    収納物
３    本体凹部
４    容器本体
５    蓋凹部
６    蓋部材
７    折り返し部
１３  本体外周縁部
１４  本体平坦部
１５  本体段付部
１６  物品説明シート
１７  蓋外周縁部
１８  蓋平坦部
１９  蓋段付部
２３  係止部
２４  係止凸部
２５  係止凹部
２６  挟持突起
３２  係止案内部
３３  被係止案内部
【図１】
2008265837.tif 000003
【図２】
2008265837.tif 000004
【図３】
2008265837.tif 000005
【図４】
2008265837.tif 000006
【図５】
2008265837.tif 000007
【図６】
2008265837.tif 000008
【図７】
2008265837.tif 000009
【図８】
2008265837.tif 000010
【図９】
2008265837.tif 000011